(57)【要約】【課題】  穀稈を引起しする各引起装置の上側へ設ける引起しカバーの着脱を容易にすると共に、外観形状の向上を図ろうとするものである。【解決手段】  穀稈を引起しする各引起装置の上部には、フレーム体を設け、このフレーム体には、各引起装置の上側を覆う引起カバー８に、複数の嵌合溝９ａを設け、この各嵌合溝９ａを嵌合させて装着した構成である。又、引起カバー８内側には、挿入溝９ｂを設けて、フレーム体と、注油パイプとを挿入する構成である。更に、引起カバー８の上部には、透明、又は半透明の上シートを枠体８ａで支持させて、この枠体８ａより長くして設けた構成である。【選択図】  図１。
2005087066.tif 000002
【特許請求の範囲】
【請求項１】
走行装置３の前方部には、穀稈を刈取り移送する刈取機４と、該刈取機４の前部には、穀稈を引起しする複数の引起装置６と、該各引起装置６の上部を連結するフレーム体７と、引起装置６の上部を覆う引起カバー８等とを設けたコンバインにおいて、前記引起カバー８内側の中央部と、左右両側の所定位置とには、フレーム体７へ嵌合する各嵌合溝９ａ部を配設したことを特徴とするコンバインの引起装置用カバー。
【請求項２】
前記引起カバー８内側には、フレーム体７と、各引起装置６等へ注油する注油用パイプ１１ａとを挿入する挿入溝９ｂを設けたことを特徴とする請求項１に記載のコンバインの引起装置用カバー。
【請求項３】
前記引起カバー８の上側部には、フレーム体７の左右方向長に沿うと共に、刈取機４の後方部に設けた脱穀機１６側へ向けて所定長さで、各引起装置６の上部を略平行状態に覆うべく透明、又は半透明材よりなる上シート１０を設けたことを特徴とする請求項１、又は請求項２に記載のコンバインの引起装置用カバー。
【請求項４】
前記上シート１０は、引起カバー８の枠体８ａで支持すると共に、該枠体８ａより長くして設けたことを特徴とする請求項１、又は請求項２、又は請求項３に記載のコンバインの引起装置用カバー。
【発明の詳細な説明】
【技術分野】
【０００１】
刈取りする穀稈を引起しする各引起装置の上部には、フレーム体を設け、このフレーム体には、各引起装置の上側を覆う引起カバーに、複数の嵌合溝を設け、この各嵌合溝を嵌合させて装着して設けた技術であり、コンバインの引起装置用カバーとして利用できる。
【背景技術】
【０００２】
コンバインで立毛穀稈の収穫作業は、特開平９−１２１６５２号公報で示す如く走行装置の前方部には、穀稈を引起しする左右外側部の外穀稈引起装置と、内側方に位置する内穀稈引起装置との各引起ラグチェンへ所定間隔に装着して設けた各引起ラグで穀稈は各引起しされ、この引起中に穀稈は刈取りされ、刈取り穀稈は、この刈取機で後方上部へ移送され、脱穀機で引継ぎされて、この脱穀機内を挟持移送中に脱穀される。
【０００３】
前記左右外側部の外穀稈引起装置の上部は、連結パイプを設け、この連結パイプで両側の外穀稈引起装置を接続させて設け、内穀稈引起装置は全長を短くして設けると共に、これら内・外穀稈引起装置の上側には、略コ字形状の引起カバーを設けた構成である。
【特許文献１】特開平９−１２１６５２号公報
【発明の開示】
【発明が解決しようとする課題】
【０００４】
穀稈を引起する左右両外側の外穀稈引起装置と、内側の内穀稈引起装置との上側には、略コ字形状の引起カバーを、例えば、ボルト等により、各外穀稈引起装置へ装着して設けた構成であり、取付け、及び取り外しが困難であったり、又、外観があまり良好とは云えない状態であったが、この発明により、これらの問題点を解決しようとするものである。
【課題を解決するための手段】
【０００５】
このために、この発明は、請求項１に記載の発明においては、走行装置３の前方部には、穀稈を刈取り移送する刈取機４と、該刈取機４の前部には、穀稈を引起しする複数の引起装置６と、該各引起装置６の上部を連結するフレーム体７と、引起装置６の上部を覆う引起カバー８等とを設けたコンバインにおいて、前記引起カバー８内側の中央部と、左右両側の所定位置とには、フレーム体７へ嵌合する各嵌合溝９ａ部を配設したことを特徴とするコンバインの引起装置用カバーとしたものである。
【０００６】
コンバインで立毛穀稈の収穫作業は、走行装置３の前方部には、穀稈を引起しする複数の引起装置６を設け、この各引起装置６で穀稈は引起しされ、この引起中に穀稈は刈取りされ、刈取り穀稈は、この刈取機４で後方上部へ移送され、脱穀機１６で引継ぎされて、この脱穀機１６内を挟持移送中に脱穀される。
【０００７】
前記各引起装置６の後側部には、門形状の支持杆と、中央部の中支持杆とにより、フレーム体７を形成し、このフレーム体７を装着して設けた構成である。各引起装置６の上側を覆う引起カバー８内側の中央部には、上下方向に嵌合溝９ａ部と、この中央部の左右両側には、左右方向に各嵌合溝９ａ部とを設け、これ各嵌合溝９ａは、フレーム体７の支持杆と、中支持杆とへ挿入し、嵌合状態にして各引起装置６の上側部を覆ってカバーした状態に装着している。
【０００８】
請求項２に記載の発明においては、前記引起カバー８内側には、フレーム体７と、各引起装置６等へ注油する注油用パイプ１１ａとを挿入する挿入溝９ｂを設けたことを特徴とする請求項１に記載のコンバインの引起装置用カバーとしたものである。
【０００９】
穀稈を引起しする前記各引起装置６の上部に設けた引起カバー８の内側面には、フレーム体７と、各引起装置６へ内装した引起チェン等へ注油する注油用パイプ１１ａ等とを挿入して支持する挿入溝９ｂを設けて、引起カバー８を支持すると共に、注油用パイプ１１ａを支持させている。
【００１０】
請求項３に記載の発明においては、前記引起カバー８の上側部には、フレーム体７の左右方向長に沿うと共に、刈取機４の後方部に設けた脱穀機１６側へ向けて所定長さで、各引起装置６の上部を略平行状態に覆うべく透明、又は半透明材よりなる上シート１０を設けたことを特徴とする請求項１、又は請求項２に記載のコンバインの引起装置用カバーとしたものである。
【００１１】
穀稈を引起しする前記各引起装置６の上側に設けた引起カバー８の上側部には、フレーム体７の左右方向長に沿うと共に、刈取機４の後方部に設けて、この刈取機４から刈取り穀稈の供給を受けて脱穀する脱穀機１６側へ向けて所定長さで、各引起装置６の上部を略平行状態に覆う状態で、材質が透明、又は、半透明材よりなり、折り畳みできる上シート１０を設け、各引起装置６で穀稈を引起中に飛散する藁屑、及び塵埃が、これら各引起装置６上への堆積を防止すると共に、この各引起装置６で穀稈の引起状態が目視できる。
【００１２】
請求項４に記載の発明においては、前記上シート１０は、引起カバー８の枠体８ａで支持すると共に、該枠体８ａより長くして設けたことを特徴とする請求項１、又は請求項２、又は請求項３に記載のコンバインの引起装置用カバーとしたものである。
【００１３】
穀稈を引起しする前記引起装置６の上側に設けた引起カバー８の枠体８ａで支持して設けた上シート１０は、枠体８ａより、後方へ向けて長く形成して設け、各引起装置６で穀稈を引起中に飛散する藁屑、及び塵埃が、これら各引起装置６上へ堆積を防止する。又、枠体８ａから上シート１０を容易に取り外し、又は、折り畳みすることができ、メンテナンスの向上を図ることができる。
【発明の効果】
【００１４】
請求項１に記載の発明においては、穀稈を引起しする各引起装置６の上部には、この各引起装置６を接続するフレーム体７を設けると共に、各引起装置６の上側を覆う引起カバー８は、内側の中央部と、左右両側の所定位置とには、フレーム体７へ嵌合する各嵌合溝９ａ部を設け、この各嵌合溝９ａを、フレーム体７へ嵌合させて、引起カバー８を装着して設けた構成としたことにより、この引起カバー８の着脱が簡単であり、又、メンテナンス性が向上し、更にコスト低減を図ることができる。
【００１５】
請求項２に記載の発明においては、前記引起カバー８内側には、フレーム体７と、各引起装置６等へ注油する注油用パイプ１１ａとを挿入し、支持する挿入溝９ｂを設けたことにより、引起カバー８、及び注油パイプ１１ａ等を安定して支持させることができる。又、支持が容易で簡単である。
【００１６】
請求項３に記載の発明においては、前記引起カバー８の上側部には、フレーム体７の左右方向長に沿うと共に、後方へ延長させて、透明、又は半透明材の上シート１０を設けたことにより、穀稈を引起中に脱粒して飛散する穀粒、及び藁屑等が、運転作業者の目に入ることを防止できる。このために、各引起装置６の目視を安全にできる。又、飛散粒は移送路内に戻るため、回収が容易で清掃が容易である。更に、防塵効果の向上を図ることができる。
【００１７】
請求項４に記載の発明においては、前記上シート１０は、引起カバー８の枠体８ａで支持して設けると共に、この枠体８ａより、長くして設けたことにより、上シート１０はシート状であり、枠体８ａより、容易に取り外しができる。又、折り畳むことができることにより、メンテナンス性の向上を図ることができる。更に、刈取機４を上昇操作時に、運転作業者が誤って触れたときであっても、安全である。
【発明を実施するための最良の形態】
【００１８】
以下、本発明の一実施例を図面に基づいて説明する。
コンバイン１の走行装置３の上側に設けた走行車台２の前方部には、穀稈を刈取り移送する刈取機４を設け、この刈取機４の前部には、穀稈を引起しする複数の引起装置６を設けると共に、これら各引起装置６の上部を連結するフレーム体７を設け、又、上側を覆う引起カバー８等を設けた構成である。この引起カバー８内側の中央部と、左右両側の所定位置とには、フレーム体７へ嵌合する各嵌合溝９ａ部を設けた構成である。刈取機４に設けた各引起装置６、及びこの各引起装置６の上部に設けたフレーム体７、及び引起カバー８等を主に図示して説明する。
【００１９】
前記コンバイン１の走行車台２の下側には、図８、及び図９で示す如く土壌面を走行する左右一対の走行クローラ３ａを張設した走行装置３を配設し、走行車台２の上側には、脱穀機１６を載置した構成である。走行車台２の前方部の刈取機４で立毛穀稈を刈取りし、この刈取り穀稈は、この刈取機４で後方上部へ移送され、脱穀機１６のフィードチェン１７ａと、挟持杆１７ｂとで引継ぎされて、脱穀機１６内を挟持移送されながら脱穀される。脱穀済みで選別済み穀粒は、脱穀機１６の右横側の上側に配設した穀粒貯留タンク１８内へ一時貯留される。
【００２０】
前記走行車台２の前方部には、図８、及び図９で示す如く前端位置から立毛穀稈を分離するナローガイド５ａ、及び各分草体５ｂと、立毛穀稈を引起す前・後引起ケース６ａ，６ｂへ回転自在に軸支内装した引起チェン６ｃへ所定間隔に装着した引起ラグ６ｄ等よりなる各引起装置６と、引起された穀稈を掻込みする穀稈掻込移送装置１２の各掻込装置１２ａと、掻込された穀稈を刈取る刈刃装置５ｃと、刈取りされた穀稈を挟持移送して、脱穀機１６のフィードチェン１７ａと、挟持杆１７ｂとへ受渡しする穀稈掻込移送装置１２の根元・穂先移送装置１３ａ，１３ｂ等からなる刈取機４を設けている。該刈取機４は、油圧駆動による伸縮シリンダ１４により、土壌面に対して、昇降自在に移動する構成である。
【００２１】
前記刈取機４の前方下部から後方上部へ傾斜する支持杆１５ａの上端部には、左右方向の支持パイプ杆１５ｂを設け、この支持パイプ杆１５ｂを走行車台２の上側面に設けた支持装置１５ｃで回動自在に支持させて、伸縮シリンダ１４の作動により、刈取機４は支持パイプ杆１５ｂを回動中心として、上下に回動する構成である。
【００２２】
前記刈取機４の穀稈掻込移送装置１２によって形成される穀稈移送経路中には、刈取られて移送される穀稈に接触作用することにより、脱穀機１６へ穀稈の供給の有無を検出する穀稈センサ４ａを設けた構成である。
【００２３】
前記各引起装置６の各後引起ケース６ｂの後側に設けた各支持杆４ｂには、図５で示す如くパイプ材等よりなり、門形状の支持杆７ａと、左右方向の中央部へ固着して設けたパイプ材よりなる中支持杆７ｂとにより、フレーム体７を形成して、このフレーム体７をボルト、及びナット等により、装着して設けた構成である。
【００２４】
前記各引起装置６の上側には、図１〜図７で示す如く、この各引起装置６の上側を覆う、例えば、樹脂材等よりなり、一体成形した引起カバー８を設けた構成である。この引起カバー８の内側には、中央部の中支持杆７ｂの上下方向の所定位置に対応する箇所には、図１で示す如く上下方向に所定長さの嵌合溝９ａ部を設けると共に、この嵌合溝９ａ部の左右両側の所定位置で、支持杆７ａが位置する箇所には、左右方向に所定長さの各嵌合溝９ａ部を設け、これら三個の嵌合溝９ａ部は、支持杆７ａ、及び中支持杆７ｂへ挿入し、嵌合状態にして、引起カバー８を、これら支持杆７ａと、中支持杆７ｂとのフレーム体７へ装着すると共に、引起カバー８の後側より、後カバー８ｂを介して複数個のボルト孔８ｅにより、引起カバー８へ複数個インサートして設けたナット８ｃへボルト８ｄを螺挿入し、引起カバー８をフレーム体７へ装着した構成である。各嵌合溝９ａは、フレーム体７に沿わせて設けた取付溝９ｃへ設けた構成である。
【００２５】
穀稈を引起しする前記各引起装置６の上部には、この各引起装置６を接続するフレーム体７を設けると共に、各引起装置６の上側を覆う引起カバー８は、内側の中央部と、左右両側の所定位置とには、フレーム体７へ嵌合する各嵌合溝９ａ部を設け、この各嵌合溝９ａを、フレーム体７へ嵌合させて、引起カバー８を装着して設けた構成としたことにより、この引起カバー８の着脱が簡単であり、又、メンテナンス性が向上し、更にコスト低減を図ることができる。
【００２６】
前記引起カバー８内側には、図１、図４、及び図５で示す如くフレーム体７の支持杆７ａ、及び中支持杆７ｂと、各引起装置６等へ送油ポンプ１１ｂでタンク１１ｃより、吸入した注油用の油を注油パイプ１１ａを経て注油する。この注油パイプ１１ａとを挿入して、支持させる挿入溝９ｂを、フレーム体７に沿わせて設けた構成である。
【００２７】
前記引起カバー８内側には、フレーム体７と、各引起装置６等へ注油する注油パイプ１１ａとを挿入し、支持する挿入溝９ｂを設けたことにより、引起カバー８、及び注油パイプ１１ａ等を適宜の嵌合状態に、樹脂材で引起カバー８を形成したことにより、可能となり、又、この引起カバー８、及び注油パイプ１１ａを安定して支持させることができる。
【００２８】
前記引起カバー８の上側部には、図６で示す如くフレーム体７の左右方向長に沿うと共に、刈取機４の後側で走行車台２に載置した脱穀機１６側へ向けて所定長さに延長し、各引起装置６の上部を略平行状態に覆うように、透明、又は半透明材よりなり、更に折り畳み可能材料よりなる上シート１０を着脱自在に装着して設けた構成である。この装着はボルト、及びナットで装着する構成とするもよく、又、はめこみ式の装着とする構成とするもよい。又、穀稈を引起中に脱粒した穀粒は、搬送路内へ戻すような構成である。
【００２９】
前記引起カバー８の上側部には、フレーム体７の左右方向長に沿うと共に、後方へ延長させて、透明、又は半透明の上シート１０を設けたことにより、各引起装置６で穀稈を引起中に、発生した脱粒した穀粒、及び塵埃等が飛散し、運転作業者の目に入ることがあったが、これを上シート１０により、防止することができる。このために、各引起装置６の作動状態を安全に目視することができる。又、防塵効果の向上を図ることができる。
【００３０】
前記上シート１０は、図７で示す如く引起カバー８の枠体８ａ部へ、例えば、ボルト、及びナット等により、装着した構成とするもよく、又は、ホック方式、及びはめ込み方式の装着とした構成とするもよい。上シート１０は、枠体８ａで支持すると共に、この枠体８ａより、左右方向を長く形成して、上部を水平状に覆うべく、設けた構成である。
【００３１】
前記上シート１０は、シート状カバーとして設けたことにより、刈取機４が上昇時に、運転作業者が誤って、上シート１０へ触れたときであっても、安全である。又、引起カバー８の枠体８ａへの取り付け、及び取り外しが容易である。更に、折り畳んだり、めくることができることにより、メンテナンス性の向上を図ることができる。
【００３２】
前記刈取機４の各引起装置６の上部には、図１０〜図１４で示す如くフレーム体１９を装着して設けると共に、このフレーム体１９には、各引起装置６を覆う状態に、引起カバー２０を装着して設けた構成である。
【００３３】
前記フレーム体１９は、パイプ材よりなる門形状の支持杆１９ａの略中央部には、パイプ材よりなる中支持杆１９ｂを固着して設けると共に、上部左右両側には、ボルト孔１９ｄを有する取付板１９ｃ，１９ｃを固着して設けた構成である。
【００３４】
前記引起カバー２０には、図１１〜図１４で示す如くフレーム体１９へ挿入する挿入溝２０ａを設けると共に、この挿入溝２０ａの左右両側で、深い位置には、取付部２０ｂ，２０ｂを一体に成形し、これら各取付部２０ｂの内側部には、ナット２０ｃをインサートした構成である。フレーム体１９の各取付板１９ｃのボルト孔１９ｄへボルト１９ｅを挿入し、引起カバー２０の各取付部２０ｂの各ナット２０ｃへボルト１９ｅを螺挿入し、引起カバー２０をフレーム体１９へ装着した構成である。
【００３５】
前記引起カバー２０には、図１１で示す如く複数個の締付用孔２０ｄを設け、この各締付用孔２０ｄへ後カバー２１のリベット孔２１ａを介して、スクリュー用リベット２１ｂで締付けて、引起カバー２０を後カバー２１により、図１３、及び図１４で示す如くフレーム体１９へ装着した構成である。後カバー２１を装着すると、ボルト１９ｄは外観より、見えない構成である。
【００３６】
これにより、外観から締付用のボルト１９ｄが見えないようにすることにより、外観上の向上と、藁の引っ掛かりを防止することができる。又、スクリュー用リベット２１ｂで装着することにより、コストダウンを図ることができる。
【００３７】
三条列を刈取りする前記刈取機４であると、二条列を刈取りする側と、一条列を刈取りする側とでは、左右両側の引起装置６，６間に設けた、中央部の引起装置６は、図１５〜図１７で示す如く一条列を刈取りする側へ寄せて設けた構成である。これにより、これら各引起装置６を覆う状態に設けた、引起カバー２２の左右両側の門形状部が、左右で大きく異なることにより、外観形状が悪くなり、このために、下記の如く引起カバー２２を装着するフレーム体２３を形成して設けた構成である。
【００３８】
前記フレーム体２３は、図１５〜図１７で示す如くパイプ材よりなる門形状の支持杆２３ａの略中央部に位置すべく、パイプ材よりなる中支持杆２３ｂをクランク形状に形成して、上部のクランク部を支持杆２３ａの略中央部へ装着すると共に、下部のクランク部を、中央部の引起装置６の後側の支持杆４ｂへ装着して設けた構成である。又、左右両側には、各ボルト孔２３ｃを設けた取付板２３ｄを固着した構成である。
【００３９】
前記フレーム体２３へ装着する引起カバー２２は、図１５〜図１７で示す如く左右両側の装着部と、中央部の装着部との間は、略同じ間隔に形成した構成である。引起カバー２２内側には、図１５、及び図１７で示す如くフレーム体２３の形状に沿わせて、挿入溝２２ａを設けると共に、左右両側には、各ナット２２ｂをインサートした取付板２２ｃを一体に成形した構成である。又、左右方向中心部には、シンボルマーク２２ｄを設けた構成である。更に、フレーム体２３の形状に沿わせて、引起カバー２２を設けた構成である。
【００４０】
前記引起カバー２２中央の取付部の下端部は、図１６で示す如くフレーム体２３の中支持杆２３ｂを多く覆うべく、下方へ向けて延長した延長箇所（ロ）部を、カットした構成である。又、下部のコーナー部（イ）は、各引起装置６の外側に設けた引起ケースカバー６ｅを容易に着脱可能に、くぼみを付けた構成である。
【００４１】
これにより、前記引起カバー２２を装着状態のままで、引起ケースカバー６ｅの着脱ができることにより、便利である。又、フレーム体２３から引起カバー２２の着脱が容易であり、メンテナンス性の向上を図ることができた。
【００４２】
前記引起装置６の後引起ケース６ｂの後側外面には、図１８、及び図１９で示す如く上引起軸２４ａを軸支した引起メタル２４を上下摺動自在に設け、各引起ラグ６ｄを装着した引起チェン６ｃを伸縮を調節操作する構成である。
【００４３】
前記引起メタル２４の上側で、後引起ケース６ｂの外側面には、コ字形状で、装着部を設けた補強板２５ａを固着して設けると共に、この補強板２５ａの上側には、所定巾のクランク形状で、装着部を設けたテンションプレート２５ｂを固着して設けた構成である。
【００４４】
前記テンションプレート２５ｂの上部には、調節体２６を挿入し、このテンションプレート２５ｂの下両側へナット２６ａを螺挿入して、調節体２６を所定長さに支持させた構成であり、この調節体２６の下端部と、引起メタル２４の横側先端部との間には、スプリング２６ｂを設けた構成である。このスプリング２６ｂの弾発力により、引起チェン６ｃを所定の張り状態に調節して支持する構成である。穀稈を各引起装置６で引起中に発生した藁屑等は、テンションプレート２５ｂ上を流下し、圃場面へ排出される構成である。
【００４５】
これにより、前記引起装置６の後引起ケース６ｂの強度アップを図ることができる。又、藁屑等の堆積を防止することができる。
中央部の前記引起装置６の装着構成、及び伝動構成は、図２０〜図２４で示す如く下中ギャーケース２７の左右両側には、下左・下右ギャーケース２８，２９を装着して設け、これらには、伝動機構２７ａを内装した構成である。下中ギャーケース２７には、中フランヂ部２７ｂを設け、又、下右ギャーケース２９には、右フランヂ２９ａを設けた構成である。
【００４６】
前記中・右フランヂ２７ｂ，２９ａには、図２０、及び図２１で示す如くＵ字形状の支持パイプ３１を装着すると共に、この支持パイプ３１の上側には、伝動機構３０ａを内装した伝動パイプ３０を装着し、この伝動パイプ３０と、支持パイプ３１とを接続する左右両側には、補強板３１ａを固着した構成である。
【００４７】
前記伝動パイプ３０の前端部には、図２２、及び図２３で示す如く伝動機構３３ａを内装した下前ギャーケース３３を設けた構成である。又、下前ギャーケース３３の上側には、伝動機構３２ａを内装した引起パイプ３２を装着した構成である。この引起パイプ３２の上側には、中央部の引起装置６の各引起ラグ６ｄを装着した引起チェン６ｃを回転駆動する伝動機構３２ｃを内装した上引起ギャーケース３２ｂを装着した構成である。
【００４８】
これにより、中央部の引起装置６をコストダウンができた。又、移送通路を拡大することができて、穀稈の引起性能が向上した。更に、穀稈の引っ掛かりを防止できる。強度確保、及び振れ防止が容易である。
【００４９】
前記フレーム体７の門形状の支持杆７ａの左側下部には、図２４−１〜図２５で示す如く前後方向の取付用長孔の取付孔７ｄを設けた構成である。又、右側下部には、取付板７ｃを装着して設け、この取付板７ｃには、前後方向の取付用長孔７ｅを設けた構成である。支持杆７ａの略中央部には、図２４−１〜図２５で示す如く中支持杆７ｂを装着して設けた構成である。この中支持杆７ｂの下部には、横方向の取付用長孔の取付孔７ｆを設けた構成である。
【００５０】
前記フレーム体７の支持杆７ａの左側下部の取付用長孔の取付孔７ｄは、左側の引起装置６の後引起ケース６ｂを支持する支持杆４ｂの上方部へ装着した左取付板３４ａへボルト、及びナット等により、装着して設けた構成である。又、支持杆７ａの右側下部の取付板７ｃの取付用長孔の取付孔７ｄは、右側の引起装置６の後引起ケース６ｂを支持する支持杆４ｂの上方部へ装着した右取付板３４ｂへボルト、及びナット等により、装着して設けた構成である。更に、中支持杆７ｂの下部の取付用長孔の取付孔７ｆは、中央部の引起装置６の後引起ケース６ｂを支持する支持杆４ｂの上方部へ装着した中取付板３４ｃへボルト、及びナット等により、装着して設けた構成である。
【００５１】
前記各引起装置６の各引起ラグ６ｄの前後方向調節は、フレーム体７の支持杆７ａの左右両側下部長孔の各取付孔７ｄ，７ｅで調節すると共に、各引起ラグ６ｄの左右方向調節は、フレーム体７の中支持杆７ｂの下部長孔の取付孔７ｆで調節する構成である。
【００５２】
これにより、前記引起ラグ６ｄの前後方向の喰い違い、及び左右方向の隙間の調節を容易に行うことができ、引起性能向上、及びこれら各引起ラグ６ｄの接触を防止できることにより、異音の発生を防止できる。
【００５３】
中央部の前記引起装置６の前側に設けて穀稈を分離する中ナローガイド３５は、図２６、及び図２７で示す如く下端部は、中央部の分草体５ｂへ挿入して設けると共に、上端は、フレーム体７の中支持杆７ｂの上端部より、後側へ折曲させて、後側より、ボルト等により、この中支持杆７ｂへ装着した構成である。
【００５４】
これにより、前記引起装置６で引起しする穀稈が中ナローガイド３５への引っ掛かりを防止することができる。又、長稈、及び雑草等の分離性能が向上する。更に、右側の穀稈移送通路の円滑化を図ることができる。
【００５５】
前記刈取機４の前部に設けた各引起装置６の前引起ケース６ａの前側には、図２８〜図３１で示す如く前側面が円形状に形成した下引起カバー３６ｂを設けると共に、この下引起カバー３６ｂの外側面で、各引起装置６の上側と、フレーム体７とを覆う状態に上引起カバー３６ａを、差し込み方式にして設け、この上引起カバー３６ａの上部をボルト等により、フレーム体７の支持杆７ａと、中支持杆７ｂとへ装着して設けた構成である。
【００５６】
これにより、前記上・下引起カバー３６ａ，３６ｂを一体的に見えるように形成したことにより、デザイン性の向上を図ることができる。又、穀稈を引起のときに、穀稈の引っ掛かることを防止できる。又、軽量化ができて、コストダウンを図ることができる。
【００５７】
前記刈取機４の左側には、左外側へ開閉自在に設けたナローガイド５ａは、図３２〜図３４で示す如く前ナローガイド３７ａの前端部は、左端部の分草体５ｂへ装着すると共に、後端部は、後ナローガイド３７ｂの前端部へ挿入して支持させた構成である。この後ナローガイド３７ｂの後端部は、走行車台２の左側へ設けた支持杆３７ｃへ前後摺動自在に装着した構成である。
【００５８】
前記走行車台２の四角形状の前枠２ａ内には、図３２、及び図３３で示す如くナローガイド５ａを開閉する開閉装置３８と、走行車台２の右枠２ｂには、開閉操作装置３９とを設けた構成である。開閉装置３８は、前枠２ａ内へ開閉軸３８ａの上下両側で、左右方向に所定間隔を設けて、ローラ３８ｂをローラ軸３８ｃで軸支した構成であり、この各ローラ３８ｂは、前枠２ａの内側面へ当接して回転移動する構成である。又、前枠２ａの左外端部には、ストッパ３８ｄを設け、このストッパ３８ｄの外側には、スプリング３８ｆを設けた構成である。開閉軸３８ａの外端部には、連結杆３８ｅを軸支して設けて、抜け止めを施した構成である。この連結杆３８ｅと、後ナローガイド３７ｂに設けた支持板３７ｄへ回動自在に設けた支持パイプ３７ｅとは、取付ピン３７ｆと、ナット３７ｈ等により、装着した構成である。
【００５９】
前記開閉装置３９は、図３２、及び図３４で示す如く走行車台２の右枠２ｂには、支持メタル３９ａを設け、この支持メタル３９ａには、上下に設けた各ベアリング３９ｂで軸支した回動軸３９ｃを設け、この回動軸３９ｃには、ハンドル支持板３９ｄを固着して設け、このハンドル支持板３９ｄには、上下移動自在にハンドル３９ｅを設け、このハンドル３９ｅを支持メタル３９ａの外周部に設けた調節板３９ｆの所定の挿入孔３９ｈより、抜き操作して、所定の挿入孔３９ｈへ差し換え挿入することにより、回動軸３９ｃと、開閉軸３８ａとを接続したワイヤー４０を介して、ナローガイド５ａが開閉作動する構成である。ハンドル３９ｅの操作は、操縦席５２ｂより可能とした構成である。
【００６０】
これにより、前記ナローガイド５ａの調節操作は、操縦席５２ｂより可能となり、操作容易である。構成が簡単でコスト低減になる。又、大型から小型まで装着可能である。
前記脱穀機１６のフィードチェン１７ａと、挟持杆１７ｂとで挟持された穀稈は、脱穀機１６内で脱穀され、脱穀済みの排藁は、図３５〜図３８で示す如く排藁移送装置４１は、穂先側を移送する排藁穂先移送装置４２と、株元側を移送する排藁株元移送装置４３とよりなる構成である。この排藁移送装置４１は、脱穀機１６の後側で、左前部より、右後部へ傾斜させると共に、上下方向は略水平状態に設けた構成である。この排藁移送装置４１は脱穀機１６の扱胴軸１６ａより、排藁ギャーケース４１ａ等を介して回転駆動する構成である。
【００６１】
前記脱穀機１６の右側板１６ｂと、左支持杆１６ｃとの上部で、これらを接続する上部フレーム４４を設けた構成である。この上部フレーム４４には、図３７で示す如く支持板４４ａを設け、この支持板４４ａには、支持軸４４ｂを軸支して設けた構成である。この支持軸４４ｂには、回動メタル４５を軸支して設け、この回動メタル４５には、回動軸４５ａを軸支して設けた構成である。
【００６２】
移送始端部である。前記排藁ギャーケース４１ａに軸支したスプロケット４３ａと、回動軸４５ａへ軸支したスプロケット４３ａと、移送終端部へ軸支したスプロケット４３ａと、回動軸４５ａで軸支した支持板４３ｂへ設けたチェン摺し４３ｃとには、排藁根元チェン４３ｄを掛け渡した構成である。
【００６３】
前記回動軸４５ａへ軸支したスプロケット４２ｂと、移送始・終端部へ軸支した各スプロケット４２ｂとは、所定間隔で排藁ラグ４２ｄを装着した排藁穂先チェン４２ｃを掛け渡した構成である。この排藁穂先チェン４２ｃ、及び各スプロケット４２ｂは、排藁穂先ケース４２ａへ内装した構成である。
【００６４】
前記排藁移送装置４１の排藁穂先移送装置４２と、排藁株元移送装置４３とを、支持軸４４ｂを回動中心として、移送始端側を上方へ回動操作するときには、排藁カバー４７を、図３６で示す如く上方へ回動操作後に回動操作する構成である。このときは、伝動用ベルト１６ｄを取り外し後に行う構成である。又、排藁根元チェン４３ｄの下側には、排藁根元挟持杆４６を設けた構成である。
【００６５】
これにより、前記排藁移送装置４１を強固に支持することができる。又、オープン支点構成が簡単であり、軽量となり、コスト低減になる。更に、オープン量を大きく取ることができる。
【００６６】
前記排藁カバー４７の下側面には、図３６、及び図３８で示す如く支持部材４７ａを設けた構成である。又、排藁ギャーケース４１ａの上側には、規制板４７ｃを装着して設け、この規制板４７ｃの前後方向のコ字形状部で、排藁カバー４７を開閉操作時の左右方向、及び前後方向を規制し、又、上方へ突出した突出部で、排藁カバー４７の下側面４７ｂ部を受けて、上下方向を制御し、これらにより、排藁カバー４７を開操作後に閉操作したときに、所定位置へ閉状態になる構成である。
【００６７】
これにより、前記回動メタル４５部、及び回動規制部がシンプルとなり、開閉操作を軽くすることができる。又、藁屑の溜まりを防止できる。更に、排藁ギャーボックス４１ａと一体部材で規制することにより、取付け位置が安定し、伝動用ベルト１６ｄでの駆動が安定する。
【００６８】
前記穀稈掻込移送装置１２の中央部の掻込装置１２ａは、図３９〜図４１で示す如く下部より、順次下掻込軸４８の下端には、下掻込スターホイル４８ａを軸支して設け、この下スターホイル４８ａの上側には、各掻込プーリ４８ｃへ掛け渡した掻込ベルト４８ｂを張設すると共に、上側には、掻込カバー４８ｄを設けた構成である。
【００６９】
前記下掻込軸４８の上側で、中央部の引起装置６の後側には、上掻込軸４９の上下端部を、ベアリング４９ｃを内装した下支持メタル４９ａと、ベアリング４９ｃを内装した上支持メタル４９ｂとで軸支すると共に、これら上・下掻込軸４９，４８は、ピン５０で接続した構成であり、これら各軸４９，４８は、ユニバーサルジョイント方式とした構成である。又、これら上・下支持メタル４９ｂ，４９ａは、引起装置６の後側の引起パイプ３２へ装着した構成である。
【００７０】
前記上掻込軸４９の上部には、二段式の上掻込スターホイル５１を軸支して設け、各引起装置６の各引起ラグ６ｄで引起された穀稈を、後方へ向けて掻込みし、根元・穂先移送装置１３ａ，１３ｂへ供給する構成である。上掻込軸４９の上端部は、抜け止めを施した構成である。又、上掻込軸４９は、下掻込軸４８で回転駆動される構成であり、上掻込スターホイル５１が回転駆動され、穀稈を掻込みする構成である。
【００７１】
これにより、左側の二条列の穀稈の掻込み、及び移送の円滑化を図ることができる。特別な駆動が不用であり、コスト低減になる。又、穀稈のこぼれを防止できる。
前記穀粒貯留タンク１８側の前部には、図８、及び図９で示す如くコンバイン１を始動、停止、及び各部を調節等の操作を行う操作装置５２ａと、これら操作を行う作業者が搭乗する操縦席５２ｂとを設け、この操縦席５２ｂの下側で、走行車台２の上側面には、エンジン５３を載置すると共に、後方部には、穀粒貯留タンク１８を配設する。これら走行装置３と、刈取機４と、脱穀機１６と、エンジン５３等により、コンバイン１の機体１ａを形成した構成である。
【００７２】
前記走行車台２の前端部に装架した走行用のミッションケース５４内の伝動機構５４ａの伝動経路中には、その出力に基づいて、走行車速を検出するポテンションメータ方式の車速センサ５４ｂを設けた構成である。
【００７３】
前記穀粒貯留タンク１８内に貯留した穀粒を機外へ排出するこの穀粒貯留タンク１８の後側には、縦移送螺旋５５ａを内装した排出支持筒５５を略垂直姿勢で旋回自在に装着して設け、この排出支持筒５５の上端部には、その全長がコンバイン１の前後長に亘る機外へ穀粒を排出する排出螺旋５６ａを伸縮自在に内装した排出オーガ５６を伸縮自在、上下回動自在、及び左右旋回自在に前後方向に配設した構成である。
【図面の簡単な説明】
【００７４】
【図１】引起カバーと、フレーム体との拡大背面図
【図２】引起カバーの拡大平面図
【図３】引起カバーの拡大正面図
【図４】図３の各部の断面図
【図５】注油パイプの配設部の拡大背面図
【図６】引起カバーと、上シートとの拡大背面斜視図
【図７】引起装置部の拡大正面斜視図
【図８】コンバインの左側全体側面図
【図９】コンバインの全体正面図
【図１０】他の実施例を示す図で、フレーム体の正面図
【図１１】他の実施例を示す図で、引起カバーの背面図
【図１２】他の実施例を示す図で、後カバーの背面図
【図１３】他の実施例を示す図で、図１１のＡ−Ａ断面図
【図１４】他の実施例を示す図で、図１１のＢ−Ｂ断面図
【図１５】他の実施例を示す図で、引起カバー部の拡大背面図
【図１６】他の実施例を示す図で、引起装置部の側面図
【図１７】他の実施例を示す図で、引起カバーと、フレーム体と、後カバーと            の背面図
【図１８】他の実施例を示す図で、引起装置部の拡大背面図
【図１９】他の実施例を示す図で、補強板部の背面斜視図
【図２０】他の実施例を示す図で、伝動パイプと、支持パイプ部との平面図
【図２１】他の実施例を示す図で、伝動パイプと、支持パイプ部との拡大正面            斜視図
【図２２】他の実施例を示す図で、刈取機部の側面図
【図２３】他の実施例を示す図で、刈取機部の正面図
【図２４】他の実施例を示す図で、(1)はフレーム体部の拡大背面図で、（2）はフ              レーム体部の拡大側面図
【図２５】他の実施例を示す図で、フレーム体部の取付部の拡大背面図
【図２６】他の実施例を示す図で、中ナローガイドの拡大側面図
【図２７】他の実施例を示す図で、中ナローガイド部の側面図
【図２８】他の実施例を示す図で、上・下引起カバー部の拡大側面図
【図２９】他の実施例を示す図で、上・下引起カバー部の正面図
【図３０】他の実施例を示す図で、上・下引起カバーの取付部の側面図
【図３１】他の実施例を示す図で、上・下引起カバーの取付部の正面図
【図３２】他の実施例を示す図で、左ナローガイドと、走行車台部との平面              図
【図３３】他の実施例を示す図で、左ナローガイドの開閉装置部の拡大平面              斜視図
【図３４】他の実施例を示す図で、左ナローガイドの開閉操作装置部の拡大              正面斜視図
【図３５】他の実施例を示す図で、排藁移送装置部の平面図
【図３６】他の実施例を示す図で、排藁移送装置部の背面図
【図３７】他の実施例を示す図で、排藁移送装置部の回動メタル部の拡大側              断面図
【図３８】他の実施例を示す図で、排藁移送装置部の規制板部の拡大背面斜              視図
【図３９】他の実施例を示す図で、中掻込装置部の拡大正面図
【図４０】他の実施例を示す図で、中掻込装置部の上掻込スターホイル部の              正面図
【図４１】他の実施例を示す図で、中掻込装置部の拡大側面図
【符号の説明】
【００７５】
３    走行装置
４    刈取機
６    引起装置
７    フレーム体
８    引起カバー
８ａ  枠体
９ａ  嵌合溝
９ｂ  挿入溝
１０    上シート
１１ａ  注油パイプ
１６    脱穀機
【図１】
2005087066.tif 000003
【図２】
2005087066.tif 000004
【図３】
2005087066.tif 000005
【図４】
2005087066.tif 000006
【図５】
2005087066.tif 000007
【図６】
2005087066.tif 000008
【図７】
2005087066.tif 000009
【図８】
2005087066.tif 000010
【図９】
2005087066.tif 000011
【図１０】
2005087066.tif 000012
【図１１】
2005087066.tif 000013
【図１２】
2005087066.tif 000014
【図１３】
2005087066.tif 000015
【図１４】
2005087066.tif 000016
【図１５】
2005087066.tif 000017
【図１６】
2005087066.tif 000018
【図１７】
2005087066.tif 000019
【図１８】
2005087066.tif 000020
【図１９】
2005087066.tif 000021
【図２０】
2005087066.tif 000022
【図２１】
2005087066.tif 000023
【図２２】
2005087066.tif 000024
【図２３】
2005087066.tif 000025
【図２４】
2005087066.tif 000026
【図２５】
2005087066.tif 000027
【図２６】
2005087066.tif 000028
【図２７】
2005087066.tif 000029
【図２８】
2005087066.tif 000030
【図２９】
2005087066.tif 000031
【図３０】
2005087066.tif 000032
【図３１】
2005087066.tif 000033
【図３２】
2005087066.tif 000034
【図３３】
2005087066.tif 000035
【図３４】
2005087066.tif 000036
【図３５】
2005087066.tif 000037
【図３６】
2005087066.tif 000038
【図３７】
2005087066.tif 000039
【図３８】
2005087066.tif 000040
【図３９】
2005087066.tif 000041
【図４０】
2005087066.tif 000042
【図４１】
2005087066.tif 000043